(57)【要約】【課題】両ハウジングの嵌合過程において一方のハウジングの姿勢を矯正可能なレバー式コネクタを提供する。【解決手段】レバー１２が配された雌ハウジング１０と、雄ハウジング１１とが正規嵌合する直前においては、レバー１２の操作部４３は雌ハウジング１０の側端部に位置して、雄ハウジング１１の嵌合方向に沿う方向に操作されるようになっており、雄ハウジング１１には係止突部５２が形成されており、レバー１２のうち操作部４３と反対側の端部には、係止突部５２と係合する係止受け部５３が形成されており、係止突部５２と係止受け部５３とは、両ハウジング１０，１１が正規嵌合する直前に係合し、レバー１２の回動操作により、係止突部５２は雄ハウジング１１の嵌合方向に沿う方向の力を受けるようになっている。これにより、雌ハウジング１０の姿勢が矯正されて、両ハウジング１０，１１が正規姿勢で嵌合することができる。【選択図】図１
2010097954.tif 000002
【特許請求の範囲】
【請求項１】
側板の先端部に操作部を有する１枚板状のレバーが第１ハウジングに回動可能に組み付けられ、前記レバーの回動操作により前記側板に形成されたカム溝に沿って第２ハウジングに形成されたカムピンを誘導することで両ハウジングを嵌合状態とすることができるようになっていると共に、
前記両ハウジングが正規嵌合する直前には、前記レバーの操作部は、前記第１ハウジングの側端部のうち、前記レバーの回動軸からこの回動軸の径方向に離間した側端部の近傍に位置して、前記第１ハウジングの嵌合方向に沿う方向に操作されるようになっているレバー式コネクタであって、
前記第２ハウジングには係止突部が形成されており、前記レバーのうち前記操作部と反対側の端部には、前記係止突部と係合する係止受け部が形成されており、前記係止突部と前記係止受け部とは、前記両ハウジングが正規嵌合する直前に係合し、前記レバーの回動操作により、前記係止突部は、前記係止受け部を介して前記第２ハウジングの嵌合方向に沿う方向の力を受けるようになっており、
前記レバーが、前記第１ハウジングに対して、左右方向に関して対称な２つの姿勢での組み付けを可能とされ、
前記係止突部が、前記第２ハウジングに左右で対をなして形成され、
前記第１ハウジングには、前記両係止突部と対応する位置に、前記両ハウジングの嵌合方向に沿って延びて、前記両ハウジングの嵌合時に前記両係止突部のそれぞれが摺接する左右１対の案内壁が形成されていることを特徴とするレバー式コネクタ。
【請求項２】
前記第１ハウジングはワイヤーハーネスを構成する電線と接続されるハーネス側ハウジングであり、前記第２ハウジングは固定部材に配設される待受け側ハウジングであることを特徴とする請求項１記載のレバー式コネクタ。
【請求項３】
前記案内壁及び前記係止突部が、それぞれ前記第１ハウジング及び前記第２ハウジングにおける左右方向の対称位置に配置されている請求項１又は２記載のレバー式コネクタ。
【発明の詳細な説明】
【技術分野】
【０００１】
本発明は、レバー式コネクタに関する。
【背景技術】
【０００２】
従来、レバー式コネクタとしては、特許文献１記載のものが知られている。このものは、雌ハウジングにレバーを回動可能に組付け、このレバーの回動操作により、レバーに形成されたカム溝に沿って、雄ハウジングに形成されたカムピンを誘導することにより、両ハウジングを嵌合させるようになっている。両ハウジングが正規嵌合する直前においては、レバーの操作部は、雌ハウジングの側端部のうち、レバーの回動軸から径方向に離間した側端部の近傍に位置しており、雌ハウジングの嵌合方向に沿う方向に操作されるようになっている。
【先行技術文献】
【特許文献】
【０００３】
【特許文献１】特開２００１ー３２６０２４公報
【発明の概要】
【発明が解決しようとする課題】
【０００４】
しかしながら上記の構成によると、両ハウジングが正規嵌合する直前において、雌ハウジングのうちレバーの操作部の近傍に位置する側端部が、レバーを回動操作することにより雌ハウジングの嵌合方向に沿う方向に押されて、このレバーの操作部近傍の側端部の嵌合状態が、レバーの操作部と反対側に位置する側端部よりも先行してしまい、傾き姿勢となる場合がある。
【０００５】
本発明は上記のような事情に基づいて完成されたものであって、両ハウジングの嵌合過程において一方のハウジングの姿勢を矯正可能なレバー式コネクタを提供することを目的とする。
【課題を解決するための手段】
【０００６】
上記の目的を達成するための手段として、請求項１の発明は、側板の先端部に操作部を有する１枚板状のレバーが第１ハウジングに回動可能に組み付けられ、前記レバーの回動操作により前記側板に形成されたカム溝に沿って第２ハウジングに形成されたカムピンを誘導することで両ハウジングを嵌合状態とすることができるようになっていると共に、前記両ハウジングが正規嵌合する直前には、前記レバーの操作部は、前記第１ハウジングの側端部のうち、前記レバーの回動軸からこの回動軸の径方向に離間した側端部の近傍に位置して、前記第１ハウジングの嵌合方向に沿う方向に操作されるようになっているレバー式コネクタであって、前記第２ハウジングには係止突部が形成されており、前記レバーのうち前記操作部と反対側の端部には、前記係止突部と係合する係止受け部が形成されており、前記係止突部と前記係止受け部とは、前記両ハウジングが正規嵌合する直前に係合し、前記レバーの回動操作により、前記係止突部は、前記係止受け部を介して前記第２ハウジングの嵌合方向に沿う方向の力を受けるようになっており、前記レバーが、前記第１ハウジングに対して、左右方向に関して対称な２つの姿勢での組み付けを可能とされ、前記係止突部が、前記第２ハウジングに左右で対をなして形成され、前記第１ハウジングには、前記両係止突部と対応する位置に、前記両ハウジングの嵌合方向に沿って延びて、前記両ハウジングの嵌合時に前記両係止突部のそれぞれが摺接する左右１対の案内壁が形成されていることを特徴とする。
【０００７】
請求項２の発明は、請求項１記載のものにおいて、前記第１ハウジングはワイヤーハーネスを構成する電線と接続されるハーネス側ハウジングであり、前記第２ハウジングは固定部材に配設される待受け側ハウジングであることを特徴とする。
【０００８】
請求項３の発明は、請求項１または請求項２記載のものにおいて、前記案内壁及び前記係止突部が、それぞれ前記第１ハウジング及び前記第２ハウジングにおける左右方向の対称位置に配置されていることを特徴とする。
【発明の効果】
【０００９】
両ハウジングが正規嵌合する直前において、第１ハウジングのうち、レバーの操作部の近傍に位置する側端部の嵌合状態が、レバーの操作部と反対側に位置する側端部よりも先行している場合に、第２ハウジングの係止突部と、レバーの操作部の反対側に形成した係止受け部とが係合することにより、係止突部が、第２ハウジングの嵌合方向に沿う方向の力を受けることで、第１ハウジングの姿勢が矯正されて、両ハウジングが正規姿勢で嵌合することができる。また、第１ハウジングに形成された案内壁と摺接することで、両ハウジングの嵌合、離脱を案内して、両ハウジングが正規姿勢で嵌合するようになっている。また、レバーの操作スペースに制約がある場合に、レバーの取付け姿勢を自由に選択できるから、両ハウジングの嵌合作業を効率よく行うことができる。
【図面の簡単な説明】
【００１０】
【図１】実施形態１に係るレバー式コネクタの正規嵌合状態を示す平断面図
【図２】同じく雄ハウジングと雌ハウジングとを示す側断面図
【図３】同じく雄ハウジングの正面図
【図４】同じく雌ハウジングの正面図
【図５】同じく雌ハウジングの平面図
【図６】同じくレバーが待受け位置にある状態における雌ハウジングの平断面図と、雄ハウジングの平面図
【図７】同じく、両ハウジングの嵌合初期状態を示す、雌ハウジングの平断面図と、雄ハウジングの平面図
【図８】図７よりも嵌合状態が進行した状態を示す、雌ハウジングの平断面図と、雄ハウジングの平面図
【図９】同じく、両ハウジングが正規嵌合状態にになる直前の状態を示す、雌ハウジングの平断面図と、雄ハウジングの平面図
【図１０】参考例に係るレバー式コネクタにおいて、レバーが待受け位置にある状態を示す、第１ハウジング及び第２ハウジングの平面図
【図１１】同じく、レバー式コネクタの正規嵌合状態を示す平面図
【発明を実施するための形態】
【００１１】
＜実施形態１＞
本発明の実施形態１を図１ないし図９によって説明する。本実施形態に係るレバー式コネクタは、雌ハウジング１０（本発明に係る第１ハウジングに相当）と、雄ハウジング１１（本発明に係る第２ハウジングに相当）とを、雌ハウジング１０に配設したレバー１２により嵌合、離脱させるようにしたものである。なお、以下の説明では、両ハウジング１０，１１の嵌合方向を前方とし、上下方向については、図２を基準とする。
【００１２】
図２及び図３に示すように、雄ハウジング１１は合成樹脂材料からなり、図示しない固定部材に配設される待受け側ハウジングとされる。この雄ハウジング１１の前側には前方に開口するフード部１３が形成されており、このフード部１３の後方には、雄端子金具１４を収容するための端子収容部１５が形成されている。
【００１３】
図１における端子収容部１５の左右両外側面には、固定部材に雄ハウジング１１を取付けるための取付けロック部１６が形成されている。図２に示すように、端子収容部１５の内部には前後方向に延びるキャビティ１７が形成されており、雄端子金具１４を後方から収容するようになっている。雄端子金具１４は、本体部１８と、本体部１８の後方に設けられ電線１９を圧着するバレル部２０とからなり、本体部１８の前端には、前方に細長く延びるタブ片２１が設けられている。キャビティ１７の内壁には前方に片持ち状に延びると共に、撓み変形可能なランス２２が突設されており、このランス２２は、本体部１８と弾性的に係合することにより、雄端子金具１４の抜け止めを図るようになっている。雄端子金具１４がキャビティ１７内に収容された状態では、タブ片２１は、フード部１３内に突出するようになっている。また、端子収容部１５の前端部には、前方からリテーナ２３が装着されるようになっており、雄端子金具１４を二重係止するようになっている。バレル部２０の後方には、防水ゴム栓２４が電線１９の被覆を一括して囲むように嵌挿されており、この防水ゴム栓２４の外周面がキャビティ１７の内周面と弾性的に密着することにより、電線１９とキャビティ１７内面との間がシールされるようになっている。
【００１４】
図２及び図３に示すように、フード部１３の上壁の外側面には、図３における左右方向の略中央付近であって前端に近い位置に、上方に突出する略円柱状をなすカムピン２５が形成されており、後述するレバー１２のカム溝２６と係合するようになっている。このカムピン２５の上端部には、カムピン２５の径方向外方に拡径された拡径部２７が形成されており、この拡径部２７の下端縁と、後述するレバー１２のカムピン受け部６４とが係合することで、カム溝２６とカムピン２５とが上下方向に離間するのを防止するようになっている。カムピン２５の左右両側には、前後方向に延びる１対の案内リブ２８が上方に突設されており、後述する雌ハウジング１０の受け部２９の側端縁と摺接することにより、両ハウジング１０，１１の嵌合、離脱を案内するようになっている。この案内リブ２８の前端部には、前方に向かって下がり勾配をなすテーパ面３０が形成されており、後述するレバー１２の仮係止片４１が案内リブ２８に乗り上げる動作を容易にするようになっている。雄ハウジング１１の左右方向の幅寸法の中央を通り、両ハウジング１０，１１の嵌合方向と平行な仮想直線は、対称軸３９となっており、案内リブは、この対称軸３９に対して左右対称に配されている。
【００１５】
図２及び図４に示すように、雌ハウジング１０は、合成樹脂材料からなり、外筒部３１の内側には、前後方向に延びる複数のキャビティ１７が幅方向に並んで形成された内筒部３２が形成されている。各キャビティ１７内には、後方から挿入された雌端子金具３３が、キャビティ１７内に設けられたランス２２に係止されて抜け止め状態で収容されるようになっている。雌端子金具３３は、略角筒状をなすと共に、雄ハウジング１１に収容される雄端子金具１４のタブ片２１が挿入される角筒部３４と、角筒部３４の後方に設けられ電線１９をかしめつけるバレル部２０とからなる。角筒部３４内には、弾性変形可能な弾性接触片（図示せず）が形成されており、角筒部３４内に挿入されたタブ片２１と弾性的に接触するようになっている。また、バレル部２０の後方には、防水ゴム栓２４が電線１９の被覆を一括して囲むように嵌挿されており、この防水ゴム栓２４の外周面がキャビティ１７の内周面に弾性的に密着することにより、電線１９とキャビティ１７内面との間がシールされるようになっている。また、内筒部３２の前端部には、前方からキャップ状のリテーナ２３が、雌ハウジング１０に対して冠着されるようになっており、雌端子金具３３を二重係止するようになっている。このように雌ハウジング１０は、ワイヤーハーネスを構成する電線１９と接続されており、ハーネス側ハウジングとされる。
【００１６】
上記の内筒部３２と外筒部３１との間の隙間には、上述の雄ハウジング１１のフード部１３が進入するようになっている。内筒部３２の前後方向の略中央付近には、内筒部３２の外周に、筒状をなすゴム製のシールリング３５が装着されている。シールリング３５の外周面に、全周に亘って周方向に延びて形成された図示３条のリップ３６と、雄ハウジング１１のフード部１３の内周面とが弾性的に密着することにより、雄ハウジング１１と雌ハウジング１０との間のシールが図られるようになっている。
【００１７】
外筒部３１の上側には、前後方向に貫通すると共に、レバー１２を収容するためのレバー収容空間３７が形成されている。このレバー収容空間３７の天井壁からは、下方に垂下して略円柱状をなす支軸３８が形成されている。レバー収容空間３７は、この支軸３８の軸心を通る対称軸３９に対して左右対称に形成されている。図６に示すように、外筒部３１のうちレバー収容空間３７の下壁には、前端縁から後方に向かって略方形に切り欠かれた切欠部４０が形成されている。この切欠部４０の後端部には、略矩形をなすと共に、切欠部４０の左右両側壁から四半円弧上に連なる受け部２９が、対称軸３９に対して左右対称に内方に突設されている。この受け部２９と、後述するレバー１２の係止片４１とが、後述するレバー１２の待受け状態において係合するようになっている。
【００１８】
図１に示すように、レバー１２は、合成樹脂材料からなり、概ね、上方から見て、円の周縁部のうちの後端部領域を櫛形に切欠した形状をなす側板４２と、この側板４２の後端部のうち、図１における左端側に、左方へ少し張り出して形成された操作部４３とを備えている。レバー１２は全体として上下対称な形状となっている。このレバー１２は、雌ハウジング１０のレバー収容空間３７内において、待受け位置と、嵌合位置との間で回動可能に取付けられている。ここで、待受け位置とは、レバー１２の側板４２に形成されたカム溝２６に、雄ハウジング１１に形成されたカムピン２５が進入するのを許容するレバー１２の位置（図６参照）をいい、嵌合位置とは、両ハウジング１０，１１が正規嵌合した状態におけるレバー１２の位置をいう（図１参照）。なお、レバー１２の説明における前後左右の向きについては、レバー１２が嵌合位置にある状態を基準とする。
【００１９】
側板４２の中心には、軸孔４４が上下に貫通して形成されており、上述した支軸３８が貫通するようになっている。また、側板４２における軸孔４４の前方には、軸孔４４を中心とする周方向及び径方向の双方に対して斜めをなすカム溝２６が形成されている。カム溝２６の上端縁には、カムピン２５の拡径部２７を受けるカムピン受け部６４が、カム溝２６の全長に亘って形成されている。側板４２における軸孔４４よりも右方の位置には、レバー１２を待受け位置に保持するための係止片４１が形成されている。この係止片４１は、前後方向に細長い板状をなし、その前端において側板４２に対して後方へ片持ち状に延出する形態となっている。この撓み係止片４１は、その基端部（前端部）を支点として、上下方向に撓み変形可能になっている。撓み片の後端部は、レバー１２が待受け位置にある場合に、上述した受け部２９と係合するようになっている。また、レバー１２が待受け位置にある場合、カム溝２６の入口は、レバー１２の支軸３８を通る対称軸３９上に配されるようになっている。
【００２０】
側板４２の後端部の左側には、前後方向に細長く延びて板状をなす撓みロック片４５が形成されている。この撓みロック片４５は、その前端から後方に延びる片持ち状をなしており、上下方向に撓み変形可能になっている。撓みロック片４５の前後方向の略中央付近には、上下方向に突出するロック突起４６が形成されている。撓みロック片４５は、レバー１２が嵌合位置にある状態で、上述のロック突起４６と、レバー収容空間３７内に対称軸３９に対して左右対称に形成された１対の戻り規制部４７の一方とが係合することで、レバー１２を嵌合位置に保持するようになっている。
【００２１】
側板４２の上下両面のうち、撓みロック片４５の前端部が形成された領域には、他の部分よりも、側板４２の板厚方向の内方に引っ込んで段差が形成されており、この段差部分は、レバー１２が待受け位置にある状態において、戻り規制部４７と係合することでレバー１２を待受け位置に保持する保持用段差部４８とされる。
【００２２】
図１に示すように、側板４２の上下両面には、軸孔４４からやや外方の位置からカム溝２６の入口に向かって、側板４２の板厚方向の内方に引っ込んで、レバー１２を雌ハウジング１０に取付ける際に支軸３８を逃がすための支軸逃げ溝４９が形成されている。支軸逃げ溝４９のうち軸孔４４側の端部には、支軸３８が側板４２を乗り越える動作を容易にするためのテーパ面３０が形成されている。また、図６に示すように、側板４２の上下両面には、図６における保持用段差部４８からやや前方の位置から、前方に延びると共に、側板４２の板厚方向の内方に引っ込んで、レバー１２を雌ハウジング１０の取り付ける際に、戻り規制部４７を逃がすための戻り規制部逃げ溝５０が形成されている。戻り規制部逃げ溝５０の図６における後端縁には、戻り規制部４７がレバー１２の側板４２を乗り越える動作を容易にするためのテーパ面３０が形成されている。また、図１におけるレバー１２の後端部の右端縁には、レバー１２の側板４２の板厚方向の内方に引っ込んで凹部５１が形成されており、この凹部５１は、レバー１２を雌ハウジング１０に取付ける際に戻り規制部４７を逃がすようになっている。また、この凹部５１の側壁は、レバー１２が嵌合位置にある状態において、戻り規制部４７と係合してレバー１２を嵌合位置に保持するようになっている。
【００２３】
さて、図６に示すように、雄ハウジング１１のフード部１３の上面には、その前端部寄りであって且つ左右両側端部寄りの位置に、上方に突出すると共に、カムピン２５の軸心を通る前後方向の仮想軸（対称軸３９）に関して左右対称な位置に１対の係止突部５２が形成されている。この係止突部５２は、上方から見て、略台形状をなしている。係止突部５２の後端縁は、左右方向に延びた直線状をなしており、後述するレバー１２の係止受け部５３の後端縁と当接するようになっている。係止突部５２のうち、雄ハウジング１１に対して左右方向における外側の側面は、前後方向に延びた直線状をなしており、後述する雌ハウジング１０の案内壁５５の内周面と摺接可能になっている。係止突部５２のうち、雄ハウジング１１に対して左右方向における内側の側面は、レバー１２の側端縁と対応する略円弧状をなしており、レバー１２の側端縁を逃がすようになっている。
【００２４】
一方、レバー１２のうち、操作部４３と反対側の端部（図１における右端部）には、側板４２の側端縁から外方に突出して、係止受け部５３が形成されている。係止受け部５３の後端縁は左右方向に延びた直線状をなしており、上述した係止突部５２の後端縁と整合するようになっている。また、外筒部３１の上側のうち、雄ハウジング１１と嵌合する側の端面には、雄ハウジング１１の係止突部５２に対応する位置に、前後方向に延びると共に案内リブ２８を逃がすための逃げ孔５４が、対称軸３９に対して左右対称に形成されている（図１及び図４参照）。この逃げ孔５４の内側壁は、両ハウジング１０，１１が嵌合、離脱する際に、係止突部５２の外側壁と摺接することで、両ハウジング１０，１１の嵌合、離脱を案内する案内壁５５とされる。
【００２５】
続いて、両ハウジング１０，１１の嵌合操作の進行状態における各部材の構成について説明する。まず、両ハウジング１０，１１が図６に示す状態においては、雌ハウジング１０に配されたレバー１２は、係止片４１が受け部２９に係合すると共に、保持用段差部４８が戻り規制部４７と係合することにより、待受け位置において回動不能に保持されている。この状態では、レバー１２のカム溝２６の入口が前方を向くようになっており、雄ハウジング１１のカムピン２５がカム溝２６に進入するのを許容するようになっている。
【００２６】
次に、両ハウジング１０，１１が図７に示す位置に移動した状態においては、カムピン２５がレバー１２の上溝の入口に進入している。このとき、案内リブ２８は、切欠部４０内に進入しており、この状態においては、係止片４１が案内リブ２８に乗り上げて上方に撓み変形している。これにより係止片４１と受け部２９との係合が解除されることで、レバー１２が待受け位置から図７における反時計回り方向に回動可能になっている。また、案内リブ２８の側壁のうち、左右方向について外側の側壁は、受け部２９の内側縁と摺接して、両ハウジング１０，１１を案内するようになっている。
【００２７】
続いて、レバー１２が図８に示す位置に回動された状態においては、カムピン２５がレバー１２のカム溝２６に誘導されて、カム溝２６内を奥方に移動し、雌ハウジング１０と雄ハウジング１１とが互いに引き寄せられるように変位するようになっている。また、レバー１２のロック突起４６は、戻り規制部４７に乗り上げて、撓みロック片４５は上方に撓み変形するようになっている。
【００２８】
さらに、レバー１２が図１に示す位置に回動された状態においては、両ハウジング１０，１１は正規嵌合した状態にあり、この状態におけるレバー１２の位置が嵌合位置とされる。このとき、レバー１２の撓みロック片４５のロック突起４６は戻り規制部４７と係合することでレバー１２が時計回りに回動することを防止すると共に、凹部５１が戻り規制部４７と係合することでレバー１２が反時計回りに回動することを防止するようになっている。また、係止突部５２が係止受け部５３により、雄ハウジング１１の嵌合方向の力を受けるようになっており、これにより、両ハウジング１０，１１の姿勢が矯正されるようになっている。また、係止突部５２の前端縁と、逃げ孔５４の後端縁とが当接すると共に、案内リブ２８の前端縁と、切欠部４０の後端縁とが当接することにより両ハウジング１０，１１の前止まりがなされるようになっている。
【００２９】
続いて、本実施形態の作用、効果について説明する。雌ハウジング１０にレバー１２を組付ける際には、レバー収容空間３７の天井壁を湾曲変形させると共に、レバー１２を待受け位置にあるときと同じ向き（姿勢）にして、後方からレバー収容空間３７内に進入させる。このとき、図１における左側の戻り規制部４７は、レバー１２の戻り規制部逃げ溝５０内に進入すると共に、図１における右側の戻り規制部４７は、レバー１２の凹部５１内に進入し、また、支軸３８は、レバー１２の嵌合溝内に進入し、さらに支軸逃げ溝４９内に進入する。これにより、レバー１２の組付け時におけるレバー１２の雌ハウジング１０との嵌合抵抗を減少させることができる。このとき、戻り規制部逃げ溝５０及び支軸逃げ溝４９にはテーパ面３０が形成されているから、戻り規制部４７や支軸３８の乗り上げ動作が容易になっている。
【００３０】
さらにレバー１２をレバー収容空間３７の奥方に進入させると、支軸３８は、支軸逃げ溝４９の後端縁に設けられたテーパ面３０に乗り上げ、軸孔４４に嵌合する。このとき、図１における右側の戻り規制部４７は、戻り規制部逃げ溝５０の後端縁に設けられたテーパ面３０に乗り上げた後、復帰変形して、保持用段差部４８と後方から当接することで、レバー１２が図１における時計回り方向に回動するのを規制する。また、係止片４１は、受け部２９に当接することにより、レバー１２が図１における反時計回りに回動するのを規制する。これにより、レバー１２は、待受け位置において、正逆いずれの方向への回動も規制された状態に保持される。
【００３１】
この状態で、雄ハウジング１１のフード部１３を雌ハウジング１０に浅く初期嵌合させると、図７に示すように、カムピン２５がカム溝２６の入口に進入する。このとき、係止突部５２は逃げ孔５４内に進入すると共に、係止突部５２の外側面が、逃げ孔５４の案内壁５５と摺接することで、両ハウジング１０，１１の嵌合が案内される。また、案内リブ２８が切欠部４０内に進入し、この案内リブ２８の前端部が係止片４１と当接し、係止片４１が案内リブ２８に乗り上げて上方に撓み変形することで、係止片４１と受け部２９との係合が解除され、レバー１２が図７における反時計回り方向に回動可能になる。このとき、テーパ面３０が形成されているから、係止片４１が案内リブ２８に乗り上げる動作が容易になっている。
【００３２】
この状態から、操作部４３を押圧して、レバー１２を支軸３８を中心として反時計回り方向に回動させると、図８に示す位置に至る。このとき、カムピン２５はカム溝２６に誘導されて、両ハウジング１０，１１が嵌合する方向に互いに引き寄せられる。この状態では、撓みロック片４５は、ロック突起４６が戻り規制部４７に乗り上げることで上方に撓み変形し始める。また、案内リブ２８の外側面が受け部２９の内側縁と摺接することで、両ハウジング１０，１１の嵌合が案内される。
【００３３】
さらに嵌合が進行して図９に示す位置、すなわり、両ハウジング１０，１１が正規嵌合状態に至る直前の状態になると、レバー１２の操作部４３は、雌ハウジング１０の後端部のうち図９における左側の側端部に位置するようになっており、この状態でレバー１２の操作部４３を押圧操作すると、雌ハウジング１０は、その嵌合方向（図９における下方）に沿う方向の力を受ける。すると、図には詳細に示さないが、雌ハウジング１０のうち、図９における左側の嵌合状態が先行し、雌ハウジング１０が図９において、左下がりの傾き姿勢になる場合がある。
【００３４】
上記の状態から、さらに操作部４３を押圧すると、図１に示すように、係止受け部５３が係止突部５２と係合し、これにより、係止突部５２は、係止受け部５３を介して、雄ハウジング１１の嵌合方向に沿う方向（図１における上方）の力を受ける。すると、図９における左下がりの傾き姿勢にあった雌ハウジング１０の右側に、雄ハウジング１１が進入する方向の力が働くことにより、雌ハウジング１０の傾き姿勢が正規の姿勢に矯正される。この状態で、操作部４３を押圧することにより、両ハウジング１０，１１が正規姿勢にある状態で嵌合が完了する。この状態では、撓みロック片４５が復帰変形して、図１における左側の戻り規制部４７と、撓みロック片４５のロック突起４６とが係合して、レバー１２が図１における時計回り方向に回動するのを規制する。また、図１における右側の戻り規制部４７と、凹部５１の側壁とが係合して、レバー１２が図１における反時計回り方向に回動するのを規制している。そして、係止突部５２の前端縁が逃げ孔５４の後端縁と当接すると共に、案内リブ２８の前端縁が切欠部４０の後端縁と当接することで、両ハウジング１０，１１の前止まりが図られている。
【００３５】
このロック状態から両ハウジング１０，１１を離脱させる際には、撓みロック片４５の後端部を下から指で押し上げて上方へ撓み変形させる。すると、ロック突起４６が左側の戻り規制部４７から解離し、嵌合位置にあるレバー１２が待受け位置側への回動が許容される。このロック解除状態を保ったままで、操作部４３を摘んでレバー１２を図１における時計回り方向に回動させる。すると、カムピン２５がカム溝２６に誘導されて、両ハウジング１０，１１が解離する方向に変位し、レバー１２が待受け位置に達すると、両ハウジング１０，１１は図７に示す状態に至る。この状態から、両ハウジング１０，１１を離脱させればよい。
【００３６】
上記の説明では、レバー１２が、待受け位置から嵌合位置に向かって反時計回り方向へ回動されると共に、嵌合位置では操作部４３が左端部に位置する向きで雌ハウジング１０に組み付けられているが、本実施形態では、レバー１２を上記とは左右反転した姿勢で雌ハウジング１０に組付けることもできる。そのための手段として、レバー１２が上下対称な形状とされ、カム溝２６の入口が、レバー１２が待受け位置にある状態でレバー１２の支軸３８を通る対称軸３９上に配されるように設けられ、戻り規制部４７が対称軸３９に関して左右対称な２位置に配され、係止突部５２が対称軸３９に関して左右対称な２位置に配され、逃げ孔５４が対称軸３９に関して左右対称な２位置に配され、案内リブ２８が対称軸３９に対して左右対称な２位置に配され、受け部２９が対称軸３９に関して左右対称に内方に突設されている。
【００３７】
レバー１２が上記と左右反転した状態で組み付けられた場合には、待受け位置から嵌合位置に向かって時計回り方向へ回動されると共に、嵌合位置では、操作部４３が右端部に位置する向きで雌ハウジング１０に組み付けられる。また、レバー１２を雌ハウジング１０に組付けた後、レバー１２を待受け位置から嵌合位置にまで回動して両ハウジング１０，１１を嵌合させる手順は、上記とは左右対称となるので、作用の説明は省略する。
【００３８】
以上説明したように、本実施形態においては、両ハウジング１０，１１が正規嵌合する直前において、雌ハウジング１０のうち、レバー１２の操作部４３の近傍に位置する側端部の嵌合状態が、レバー１２の操作部４３と反対側に位置する側端部よりも先行している場合に、雄ハウジング１１の係止突部５２と、レバー１２の操作部４３の反対側に形成した係止受け部５３とが係合することにより、係止突部５２が、雄ハウジング１１の嵌合方向に沿う方向の力を受けることで、雌ハウジング１０の姿勢が矯正されて、両ハウジング１０，１１が正規姿勢で嵌合することができる。
【００３９】
さらに、雌ハウジング１０の係止突部５２は、雄ハウジング１１に形成された案内壁５５と摺接することで、両ハウジング１０，１１の嵌合、離脱を案内して、両ハウジング１０，１１が正規姿勢で嵌合するようになっている。
【００４０】
また、１種類のレバー１２を雌ハウジング１０に対し、対称軸３９に関して左右対称な２つの姿勢のうちいずれの姿勢でも組付けることが可能になっているから、レバー式コネクタが配置される状況に応じて、レバー１２の組付け位置を適宜選択することにより、レバー１２の回動操作性を向上させることができる。
【００４１】
＜参考例＞
次に、参考例を図１０及び図１１によって説明する。本実施形態に係るレバー式コネクタは、第１ハウジング５６と、第２ハウジング５７とを、第１ハウジング５６に配設したレバー１２により嵌合、離脱させるようにしたものである。なお、以下の説明では、両ハウジング５６，５７の嵌合方向を前方とする。
【００４２】
第２ハウジング５７は、固定部材６３の壁面から外方に突出しており、待受け側ハウジングとされる。第２ハウジング５７の上壁の外側面には、その前端部寄りの位置に、略円柱状をなす１対のカムピン２５が形成されている。両カムピン２５，２５は、第２ハウジング５７の左右方向の幅寸法の中央を通り、両ハウジング１０，１１の嵌合方向と平行な対称軸３９に対して、左右対称な位置に配されている。両カムピン２５，２５の上端部には、径方向について外方に拡径された拡径部２７が形成されている。
【００４３】
第１ハウジング５６は、ワイヤーハーネスを構成する電線１９と接続されており、ハーネス側ハウジングとされる。第１ハウジング５６の上壁の外側面には、後端寄りの位置に、略円柱状をなす１対の支軸３８が形成されている。両支軸３８，３８は、第１ハウジング５６の左右方向の幅寸法の中央を通り、両ハウジング１０，１１の嵌合方向に平行な対称軸３９に対して左右対称に配されている。両支軸３８，３８の上端部には、左右に突出する１対の突部５８が形成されている。
【００４４】
第１ハウジング５６の上壁の前端部には、左右方向の略中央付近に、その前端縁から後方に向かって略矩形状に切欠された切欠部４０が、対称軸３９に関して左右対称に形成されている。この切欠部４０の左右両外方には、左右１対の板状の押さえ部５９が設けられている。両押さえ部５９，５９は、左右方向に細長い略矩形状をなしており、第１ハウジング５６の上壁に対して平行に配置されている。右側の押さえ部５９のうち左後部の角部は切り欠かれており、レバー１２との干渉を防止するようになっていると共に、後述するレバー１２の張出し部６２を上方から押さえるひさし部６０が形成されている。また同様に、左側の押さえ部５９のうち右後部の角部は切り欠かれており、レバー１２との干渉を防止するようになっていると共に、レバー１２の張出し部６２を上方から押さえるひさし部６０が形成されている。
【００４５】
図１０に示すように、レバー１２は、概ね、上方から見て、円の周縁部のうちの後端部領域を櫛形に切欠した形状をなす側板４２と、側板４２の右端から右方に突出されてなり、略矩形状をなす操作部４３とを備えてなる。レバー１２は全体として上下対称な形状となっている。このレバー１２は、第１ハウジング５６に対して、図１０における右側の支軸３８に取付けられており、待受け位置と、嵌合位置との間で回動可能になっている。なお、レバー１２の説明における前後左右の向きについては、レバー１２が嵌合位置にある状態を基準とする（図１０参照）。
【００４６】
側板４２の中心には、支軸３８の形状に適合した形状をなす軸孔４４が上下に貫通して形成されており、上述した支軸３８が貫通するようになっており、その外側には、レバー１２が回動する際に支軸３８の突部５８を逃がせるように円形孔６１が形成されている。また、側板４２における軸孔４４の前方には、軸孔４４を中心とする周方向及び径方向の双方に対して斜めをなすカム溝２６が形成されている。カム溝２６の上端縁には、カムピン２５の拡径部２７を受けるカムピン受け部６４が、カム溝２６の全長に亘って形成されている。側板４２における軸孔４４よりも左方の位置には、レバー１２を待受け位置に保持するための係止片４１が形成されている。この係止片４１は、前後方向に細長い板状をなし、その前端において側板４２に対して後方へ片持ち状に延出する形態となっている。この撓み係止片４１は、その基端部（前端部）を支点として、上下方向に撓み変形可能になっている。撓み片の後端部は、レバー１２が待受け位置にある場合に、切欠部４０の後端縁と係合するようになっている。側板４２の前端縁には、径方向外方へ側板４２と同心円弧状に張出した張出し部６２が形成されている。張出し部６２の上面は、側板４２の上面に対して段差状に低くなっている。
【００４７】
さて、側板４２のうち、カム溝２６の入口の左方には、側板４２の側縁から径方向外方に鉤状に突出した係止受け部５３が形成されている。この係止受け部５３は、レバー１２が嵌合位置にある状態において、係止受け部５３の後端縁が、図１１の左側のカムピン２５に係合するようになっている。
【００４８】
続いて、本参考例の作用、効果について説明する。レバー１２の軸孔４４の形状を支軸３８の突部５８の位置と適合させながら、軸孔４４に支軸３８を貫通させた後、レバー１２を待受け位置にまで回動させる（図１０参照）。すると、係止片４１の先端が切欠部４０の後端縁と当接すると共に、図示しない保持手段により、レバー１２が正逆いずれの方向への回動を規制された状態に保持される。このとき、張出し部６２の上方に押さえ部５９が位置するようになっており、レバー１２が上方に変位するのを規制する。
【００４９】
この状態で、第２ハウジング５７を第１ハウジング５６に浅く初期嵌合させて、図１０における右側のカムピン２５をカム溝２６の入口に進入させる。すると、図示しない係合解除部が係止片４１と当接し、係止片４１が係合解除部に乗り上げて上方に撓み変形することで、係止片４１と切欠部４０との係合が解除され、レバー１２が図１０における時計回り方向に回動可能になる。
【００５０】
この状態から、操作部４３を押圧して、レバー１２を支軸３８を中心として時計回り方向に回動させると、カムピン２５はカム溝２６に誘導されて、両ハウジング５６，５７が嵌合する方向に互いに引き寄せられる。さらに嵌合が進行して、図１０に示すように、係止受け部５３が、図１１における左側のカムピン２５と係合し、これにより、左側のカムピン２５は、係止受け部５３を介して、第２ハウジング５７の嵌合方向に沿う方向（図１における上方）の力を受ける。これにより、第２ハウジング５７が正規の姿勢に矯正される。この状態で、操作部４３を押圧することにより、両ハウジング５６，５７が正規姿勢にある状態で嵌合が完了する。この状態では、図示しないレバー保持手段により、レバー１２が図１１における反時計回り方向に回動するのを規制される。また、カムピン２５の前端部が切欠部４０の後端縁と当接することで、両ハウジング５６，５７の前止まりが図られている。
【００５１】
上記の説明では、レバー１２が、図１０における右側の支軸３８に取付けられて、待受け位置から嵌合位置に向かって時計回り方向へ回動されると共に、嵌合位置では操作部４３が右端部に位置する向きで第１ハウジング５６に組み付けられているが、本参考例では、レバー１２を左側の支軸３８に取付けると共に、上記とは左右反転した姿勢で第１ハウジング５６に組付けることもできる。このとき、係止受け部５３は、右側のカムピン２５に係合するようになっている。
【００５２】
レバー１２が上記と左右反転した状態で組み付けられた場合には、待受け位置から嵌合位置に向かって反時計回り方向へ回動されると共に、嵌合位置では、操作部４３が左端部に位置する向きで第１ハウジング５６に組み付けられる。また、レバー１２を第１ハウジング５６に組付けた後、レバー１２を待受け位置から嵌合位置にまで回動して両ハウジング５６，５７を嵌合させる手順は、上記とは左右対称となるので、作用の説明は省略する。
【００５３】
本参考例によれば、レバー１２が嵌合位置にある状態において、カム溝２６と係合しない側のカムピン２５と係合する構成とされるから、係止突部５２を別途設ける場合に比べて第２ハウジング５７の構造を簡素化できる。
【００５４】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
（１）実施形態１においては、レバー１２は板状をなしていたが、これに限られず、１対の側板４２の端部を操作部４３により連結した略門形状をなすものとしてもよい。この場合、雌ハウジング１０の上面側だけでなく、下面側についても、嵌合姿勢を矯正できるから、両ハウジング１０，１１の嵌合姿勢を一層安定させることができる。
（２）実施形態１においては、レバー１２は対称軸３９に対して左右方向に付け替え可能に配設される構成としたが、これに限られず、一方向のみに配設される構成としてもよい。場合には、係止突部５２は１つだけ形成される構成としてもよい。
（３）実施形態１においては、雌ハウジング１０のうち、雄ハウジング１１と嵌合する側の端面には、係止突部５２を逃げると共に案内するための案内壁５５が形成される構成としたが、これに限られず、雌ハウジング１０には、係止突部５２に対応する位置の肉を除去することで係止突部５２を逃がす構成としてもよい。
（４）実施形態１においては、第１ハウジングは雌ハウジング１０とし、第２ハウジングは雄ハウジング１１としたが、これに限られず、第１ハウジングを雄ハウジング１１とし、第２ハウジングを雌ハウジング１０としてもよい。
（５）実施形態１においては、雄ハウジング１１は、取付けロック部１６により固定部材に固定される構成としたが、これに限られず、固定部材の壁面から突設される構成としてもよい。
【符号の説明】
【００５５】
１０…雌ハウジング（第１ハウジング）
１１…雄ハウジング（第２ハウジング）
１２…レバー
１９…電線
２５…カムピン
２６…カム溝
３８…支軸
４２…側板
４３…操作部
５２…係止突部
５３…係止受け部
５５…案内壁
５６…第１ハウジング
５７…第２ハウジング
【図１】
2010097954.tif 000003
【図２】
2010097954.tif 000004
【図３】
2010097954.tif 000005
【図４】
2010097954.tif 000006
【図５】
2010097954.tif 000007
【図６】
2010097954.tif 000008
【図７】
2010097954.tif 000009
【図８】
2010097954.tif 000010
【図９】
2010097954.tif 000011
【図１０】
2010097954.tif 000012
【図１１】
2010097954.tif 000013